(57)【要約】【課題】  データベースに登録されていない目的地に対して経路案内を可能にするナビゲーション装置を提供する【解決手段】  カーナビゲーション装置１０に、目的地を表示案内する目的地案内地図の画像データを形成する目的地画像データ形成部１６を設けた。その目的地画像データ形成部の形成する目的地画像データに基づき目的地案内地図を表示部１３に表示させ、その目的地案内地図に相対するように経由地案内地図の表示方位、表示スケールを変更可能に設定する回転パラメータと尺度パラメータを目的地案内データ処理部３２ａで演算処理するようにした。そして、現在地が表示切替領域内に位置する時、目的地案内地図と回転パラメータ及び尺度パラメータを反映する経由地案内地図とを対比表示させるようにした。【選択図】      図１
2005308589.tif 000002
【特許請求の範囲】
【請求項１】
現在地を検出する現在地検出手段と、現在地から目的地に向かうために予め設定した経由地までの案内経路を探索する経路探索手段とを備え、前記経路探索手段が探索した案内経路を現在地とともに表示部に経路案内画像として表示するナビゲーション装置において、
前記目的地の地図画像のデータを取得する地図画像データ取得手段と、
地図画像データ取得手段が取得した前記データに基づいて前記地図画像を、前記表示部に前記経路案内画像とともに表示させる案内地図表示手段と
を備えたことを特徴とするナビゲーション装置。
【請求項２】
請求項１に記載のナビゲーション装置において、
前記地図画像データ取得手段は、
目的地案内地図を前記地図画像として撮影する撮影手段から地図画像のデータを取得する
ことを特徴とするナビゲーション装置。
【請求項３】
請求項１に記載のナビゲーション装置において、
前記地図画像データ取得手段は、
ネットワークを介して目的地案内地図を前記地図画像として外部装置から受信する画像情報取込手段から前記地図画像のデータを取得する
ことを特徴とするナビゲーション装置。
【請求項４】
請求項１〜３のいずれか一つに記載のナビゲーション装置において、
前記案内地図表示手段は、
前記現在地が前記経由地に対して予め定めた領域内に到達した時、前記地図画像を前記表示部に前記経路案内画像とともに表示させる
ことを特徴とするナビゲーション装置。
【請求項５】
請求項１〜４のいずれか一つに記載のナビゲーション装置において、
前記案内地図表示手段は、
前記地図画像と前記経路案内画像との表示方位を相対させて表示する
ことを特徴とするナビゲーション装置。
【請求項６】
請求項１〜５のいずれか一つに記載のナビゲーション装置において、
前記案内地図表示手段は、
前記地図画像と前記経路案内画像との表示縮尺を相対させて表示する
ことを特徴とするナビゲーション装置。
【発明の詳細な説明】
【技術分野】
【０００１】
本発明は、ナビゲーション装置に関する。
【背景技術】
【０００２】
目的地までの経路を案内するナビゲーション装置には、車両に搭載されるカーナビゲーション装置が知られている。そのカーナビゲーション装置は、目的地を設定するだけで、音声や画像による目的地までの経路案内ができるといった利便性から広く利用されるようになっている。
【０００３】
そのカーナビゲーション装置には、目的地を検索するための検索情報や経路を探索するための探索情報等といった経路案内を行うための各種案内情報がデータベースとして備えられている。カーナビゲーション装置は、そのデータベースに記憶される各種情報に基づいて、目的地までの経路（案内経路）が探索される。そして、カーナビゲーション装置は、同データベースに記憶されるその探索した案内経路に即した音声案内データや表示案内データを読み出して現在地に即した進行距離や進行方向を、各案内データに基づいて音声案内したり表示案内したりする。
【０００４】
ところが、こうした音声案内と画像案内による簡単な経路案内では、例えば、複数の交差点が近接して連設される道路や、複数の道路が複雑に交差する交差点等において、車両の進行距離や進行方向を明確に判別することができず、ひいては案内経路と異なる誤った経路を選択してしまうことがあった。
【０００５】
そのため、従来より、こうしたカーナビゲーション装置では、誤った経路選択を回避する提案がなされている（例えば、特許文献１）。特許文献１では、各種案内情報の中に含まれる交差点に対して進行距離や進行方向の目印としてランドマーク情報を追加している。このランドマーク情報は、例えば、「１００ｍ先で左折する交差点には、左手前角にガソリンスタンドがある」といった情報であり、こうしたランドマーク情報を音声案内したり表示案内したりすることによって、誤った経路選択を回避している。
【特許文献１】特開平８−１２８８４８
【発明の開示】
【発明が解決しようとする課題】
【０００６】
ところで、カーナビゲーション装置のデータベースに記憶される各種記憶情報には、一般に、開店直後の小売店の情報や建設後間もない友人宅等の情報等、詳細地図事項に関する最新の情報が登録されていない。そのため、こうしたデータベースに登録されていない地点を目的地にする場合、カーナビゲーション装置には、経由地として目的地近傍の住所、或いは目的地近傍にあって目印となる施設等（目的地付近）を設定して、その目的地付近までの経路案内をさせる。そして、目的地付近に到着してカーナビゲーション装置が経路案内を終了すると、運転者は、予め準備する目的地周辺の詳細地図、例えば、小売店から送られるダイレクトメール等に添付される案内地図と現在地周辺で視認される道路形状や建築物等を対比させながら目的地まで車両を運行させる。そのため、データベースに登録されていない地点を目的地とする場合、こうしたカーナビゲーション装置は、目的地までの経路案内をすることができず、運転者に対して予め準備する目的地周辺の詳細地図と現在地周辺の各種環境との対比を強いる問題がある。
【０００７】
本発明は、上記問題に鑑みてなされたものであり、その目的は、データベースに登録されていない目的地に対して経路案内を可能にするナビゲーション装置を提供することであ
る。
【課題を解決するための手段】
【０００８】
上記問題点を解決するために、請求項１に記載の発明は、現在地を検出する現在地検出手段と、現在地から目的地に向かうために予め設定した経由地までの案内経路を探索する経路探索手段とを備え、前記経路探索手段が探索した案内経路を現在地とともに表示部に経路案内画像として表示するナビゲーション装置において、前記目的地の地図画像のデータを取得する地図画像データ取得手段と、地図画像データ取得手段が取得した前記データに基づいて前記地図画像を、前記表示部に前記経路案内画像とともに表示させる案内地図表示手段とを備えた。
【０００９】
請求項２に記載の発明は、請求項１に記載のナビゲーション装置において、前記地図画像データ取得手段が、目的地案内地図を前記地図画像として撮影する撮影手段から地図画像のデータを取得する。
【００１０】
請求項３に記載の発明は、請求項１に記載のナビゲーション装置において、前記地図画像データ取得手段が、ネットワークを介して目的地案内地図を前記地図画像として外部装置から受信する画像情報取込手段から前記地図画像のデータを取得する。
【００１１】
請求項４に記載の発明は、請求項１〜３のいずれか一つに記載のナビゲーション装置において、前記案内地図表示手段が、前記現在地が前記経由地に対して予め定めた領域内に到達した時、前記地図画像を前記表示部に前記経路案内画像とともに表示させる。
【００１２】
請求項５に記載の発明は、請求項１〜４のいずれか一つに記載のナビゲーション装置において、前記案内地図表示手段が、前記地図画像と前記経路案内画像との表示方位を相対させて表示する。
【００１３】
請求項６に記載の発明は、請求項１〜５のいずれか一つに記載のナビゲーション装置において、前記案内地図表示手段は、前記地図画像と前記経路案内画像との表示縮尺を相対させて表示する。
【発明の効果】
【００１４】
請求項１に記載の発明によれば、目的地の地図画像が、案内地図表示手段によって、表示部に経路案内画像とともに表示される。従って、表示部には、経路案内画像と目的地の案内画像が対比して表示される。その結果、表示部において、前記目的地までの経路を地図画像に基づき案内表示することができる。
【００１５】
請求項２に記載の発明によれば、目的地の地図画像が、地図画像データ取得手段の撮影する目的地案内地図となる。従って、印刷物からなる目的地案内地図を地図画像として表示部に表示することができる。その結果、印刷物と経由地案内画像とを対比させる手間を省くことができ、目的地までの経路の案内をより容易にすることができる。
【００１６】
請求項３に記載の発明によれば、目的地の地図画像が、ネットワークを介し画像情報取込手段の受信する目的地案内地図となる。従って、ネットワークを介して公開される目的地案内地図を地図画像として表示部に表示することができる。その結果、インターネットを介して公開される目的地案内地図を別途表示する手間を省くことができ、目的地までの経路の案内をより容易にすることができる。
【００１７】
請求項４に記載の発明によれば、前記経由地に対して予め定めた領域内に現在地が到達した時に、地図画像と経路案内画像とを表示するようになる。従って、その領域を目的地
周辺に定めることによって、目的地までの案内が必要な時に確実に地図画像と経路案内画像を表示することができる。
【００１８】
請求項５又は６に記載の発明によれば、地図画像を経由地案内地図の表示方位又は表示縮尺に相対させて表示するようになる。従って、経路案内画像と目的地の案内画像が対比をより容易にすることができ、ひいては目的地までの案内表示をより明確にすることができる。
【００１９】
以上詳述したように、請求項１〜請求項６に記載のナビゲーション装置によれば、前記目的地に対して、目的地案内地図と経由地案内地図とを対比表示させることによりその経路を表示案内することができる。
【発明を実施するための最良の形態】
【００２０】
（第１実施形態）
以下、本発明のナビゲーション装置を車両に搭載されて経路を案内するカーナビゲーション装置に具体化した第１実施形態を図１〜図１０に従って説明する。図１はカーナビゲーション装置１０の構成を示すブロック図である。
【００２１】
図１に示すように、カーナビゲーション装置１０には、演算処理部１１が備えられている。演算処理部１１は、経路案内を行うための各種操作信号に従って演算処理動作を実行する。その演算処理部１１には、図１に示すように、入力部１２、表示部１３、情報記憶部１４、現在地検出手段を構成する位置検出部１５、撮影手段としての目的地画像データ形成部１６がそれぞれ接続されている。
【００２２】
入力部１２は、各種操作ボタンを備えるリモートコントローラ等の入力手段であって、経路案内を行うための各種操作信号を演算処理部１１に入力する。表示部１３は、画像を表示するタッチパネル式のＬＣＤ等であって、演算処理部１１による各種演算処理結果を出力表示する。また、この表示部１３は、指等で所定の位置を押すことにより、指等で押した画面上の位置を検知して、その位置に対応する経路案内を行うための各種操作信号を演算処理部１１に入力する。尚、本実施形態では、説明の便宜上、目的地に向かうために、目的地Ｔの付近であってその目的地付近を設定する場合のその設定する地点（以下、これを経由地Ｇという）（図４参照）の住所入力等の複雑な入力操作を入力部１２によって行うものとし、経路案内を行うための各種操作の選択や決定等の簡易な入力操作を表示部１３によって行うものとした。
【００２３】
情報記憶部１４は、ＤＶＤ−ＲＯＭ等の記憶媒体を備えたデータベースあって、演算処理部１１が目的地（経由地Ｇ）設定のために利用する目的地データ及び地図データ等からなる地図情報２１や経路探索に利用する道路情報２２等が記憶されている。
【００２４】
位置検出部１５は、経度及び緯度等の座標に基づいて車両の現在地Ｓ（図９参照）を検出するものである。その位置検出部１５には、ＧＰＳ受信部２４、車速センサ２５、方位センサ２６が備えられている。尚、本実施形態において、位置検出部１５は、カーナビゲーション装置１０が経路案内を行う間、常にこうした現在地Ｓの座標検出を行うものとする。そして、図９に示すように、表示部１３の画面上にあって現在地Ｓの座標と相対する位置に、現在地Ｓの表示記号「△」を表示する。
【００２５】
目的地画像データ形成部１６は、デジタルカメラ等の撮影装置を備え、地図画像を表示部１３の表示画面に表示させるための画像データを形成する。そして、入力部１２等の入力操作に基づいて画像データを作成するための操作信号が入力されると、目的地画像データ形成部１６は、目的地を表示案内する目的地Ｔ（図５参照）近傍の地図、即ち目的地案
内地図Ｍ１（図５参照）の画像データ（目的地画像データ）を作成する。目的地画像データ形成部１６は、目的地画像データを形成すると、その目的地画像データを演算処理部１１に入力する。
【００２６】
図１に示すように、演算処理部１１には、経路探索手段を構成する経由地案内処理部３１と案内地図表示手段を構成する目的地案内処理部３２が備えられている。その経由地案内処理部３１には、検索処理部３１ａと探索処理部３１ｂが備えられている。
【００２７】
検索処理部３１ａは、経由地Ｇを検索するものであって、その経由地Ｇを表示案内する経由地Ｇ近傍の地図、即ち経由地案内地図Ｍ２（図４参照）の画像データ（経由地画像データ）を形成する。そして、入力部１２等から経由地Ｇを検索する検索操作信号が入力されると、検索処理部３１ａは、地図情報２１から経由地Ｇを検索し、その経由地Ｇの座標に基づく道路を検索して経由地画像データを形成する。経由地画像データを形成すると、検索処理部３１ａは、経由地案内地図Ｍ２を表示部１３に表示する。そして、検索処理部３１ａは、図４に示すように、その経由地案内地図Ｍ２上にあって経由地Ｇの座標と相対する位置に経由地Ｇの表示記号「×」を表示させる。
【００２８】
探索処理部３１ｂは、現在地Ｓから経由地Ｇまでの経路、即ち、案内経路としての経由地案内経路Ｒ（図９参照）を探索するものである。そして、入力部１２から経由地案内経路Ｒを探索する探索操作信号が入力されると、探索処理部３１ｂは、道路情報２２から経由地Ｇまでの経路を探索して経由地案内経路Ｒを表示案内するための各種情報を作成し、経路案内画像として経由地案内地図Ｍ２上に現在地Ｓとその経由地案内経路Ｒを含む画像を表示させる。尚、本実施形態において、探索処理部３１ｂは、カーナビゲーション装置１０が経路案内を行う間、常にこうした経路探索を行い、適宜その経由地案内経路Ｒの表示画像を更新するものとする。
【００２９】
目的地案内処理部３２には、地図画像データ取得手段を構成する目的地案内データ処理部３２ａと目的地案内データ記憶部３２ｂとが備えられている。
目的地案内データ処理部３２ａは、目的地画像データ形成部１６から目的地画像データを取得して目的地案内地図Ｍ１と、検索処理部３１ａで作成される経由地画像データに基づく経由地案内地図Ｍ２を、図６に示すように、それぞれ対比可能に表示部１３に表示させる。また、目的地案内データ処理部３２ａは、経由地画像データに基づく経由地案内地図Ｍ２の表示方位Ｈと表示スケールＤを変更可能に設定するものであって、それぞれ表示方位Ｈの変更処理内容を回転パラメータとして設定し、その表示スケールＤの変更処理内容を尺度パラメータとして設定する。
【００３０】
さらに、目的地案内データ処理部３２ａは、表示部１３に対して目的地案内地図Ｍ１の表示を実行させる表示地域（表示切替領域Ａ）を設定することができる。つまり、表示切替領域Ａは、前記経由地Ｇを中心に予め決めた地域であって、車両がこの地域内に到着したとき、経由地案内地図Ｍ２と目的地案内地図Ｍ１を同時に表示する。従って、目的地案内データ処理部３２ａは、表示切替領域Ａの外にあるとき、目的地案内地図Ｍ１を表示部１３に表示させないで経由地案内地図Ｍ２を表示させる。反対に、目的地案内データ処理部３２ａは、現在地Ｓの座標が表示切替領域Ａ内にあるとき、目的地案内地図Ｍ１を経由地案内地図Ｍ２とともに表示部１３に表示する。
【００３１】
そして、目的地案内データ処理部３２ａは、これら目的地画像データ、経由地画像データ、回転パラメータ、尺度パラメータ、及び表示切替領域Ａからなる目的地案内データを目的地案内データ記憶部３２ｂに記憶する。
【００３２】
次に、上記するカーナビゲーション装置１０の作用について説明する。尚、本実施形態
における目的地Ｔは、新築間もない友人宅「○○マンション」（図５参照）であって、情報記憶部１４の記憶媒体（地図情報２１及び道路情報２２）に記憶されていないものとする。また、経由地Ｇは、その目的地Ｔ近傍に位置する施設「○○郵便局」（図４参照）とする。
【００３３】
そこで、最初に、目的地案内データの設定動作と経由地案内地図Ｍ２の各種表示パラメータの設定動作について図２〜図７に従って説明する。
図２及び図３は、それぞれ目的地案内データの設定動作と経由地案内地図Ｍ２の各種表示パラメータの設定動作を説明するフローチャートである。図４〜図７は、その設定動作における表示部１３の表示画面を説明する説明図である。
【００３４】
まず、目的地近傍に位置する経由地Ｇの住所等を入力部１２から演算処理部１１（検索処理部３１ａ）に入力する。すると、検索処理部３１ａは、地図情報２１から経由地Ｇを検索し、地図情報２１と道路情報２２とに基づいて、経由地Ｇを表示案内する経由地画像データを作成する（ステップＳ１１）。経由地画像データを作成すると、検索処理部３１ａは、図４に示すように、経由地Ｇ及び経由地案内地図Ｍ２を表示部１３の左側画面に表示して、経由地画像データを目的地案内データ記憶部３２ｂに記憶する。経由画像データを記憶すると、検索処理部３１ａは、図４に示すように、経由地Ｇの設定完了案内として「経由地の設定が完了しました」等のメッセージを表示部１３の右側画面に表示する。
【００３５】
こうして経由地Ｇが設定されると、演算処理部１１（目的地案内処理部３２）は、図４に示すように、目的地画像データを形成するための「目的地案内地図・追加ボタン」を表示部１３の右側画面に表示する。
【００３６】
ここで、「目的地案内地図・追加ボタン」を押して目的地画像データを形成する操作信号を入力すると（Ｓ１２においてＹＥＳ）、目的地案内処理部３２は、目的地画像データ形成部１６を駆動して友人宅の案内地図である目的地案内地図Ｍ１を撮影し、目的地Ｔを表示案内するための目的地画像データを作成する処理を実行する（ステップＳ１３）。具体的には、目的地画像データを形成すると、目的地案内データ処理部３２ａは、図５に示すように、その目的地画像データに基づく画像（目的地案内地図Ｍ１）を表示部１３の左側画面に表示する。このとき、目的地案内地図Ｍ１の画像を表示すると、目的地案内データ処理部３２ａは、図５に示すように、目的地画像データを記憶するための「目的地案内地図Ｍ１・撮影ボタン」をあわせて表示部１３に表示する。そして、「目的地案内地図Ｍ１・撮影ボタン」を押して目的地画像データを記憶する操作信号を入力すると、目的地案内データ処理部３２ａは、目的地案内地図Ｍ１に基づく目的地画像データを目的地案内データ記憶部３２ｂに記憶する。
【００３７】
尚、本実施形態において、この目的地案内地図Ｍ１は、地図上方の方位を北（ノースアップ）にするものとする。因みに、入力部１２を操作して、目的地画像データを形成しない操作信号を入力すると（ステップＳ１２においてＮＯ）、目的地案内データ処理部３２ａは、その目的地画像データの形成動作を終了する。
【００３８】
目的地画像データを作成し記憶すると、目的地案内データ処理部３２ａは、目的地案内データ記憶部３２ｂから経由地画像データと目的地画像データの双方を読み取り、図６に示すように、経由地案内地図Ｍ２と目的地案内地図Ｍ１とをそれぞれ表示部１３の左右両側に対比するように表示する（ステップＳ１４）。
【００３９】
経由地案内地図Ｍ２と目的地案内地図Ｍ１とを表示すると、目的地案内データ処理部３２ａは、経由地案内地図Ｍ２の表示方位Ｈ、表示スケールＤ及び表示切替領域Ａ等、各種目的地案内データの演算処理、即ち経由地案内地図Ｍ２の各種表示パラメータの設定処理
を実行する（ステップＳ１５）。
【００４０】
図３は、表示パラメータの設定処理の詳細を説明するフローチャートを示す。まず、目的地案内データ処理部３２ａは、図６に示すように、目的地案内地図Ｍ１の方位と経由地案内地図Ｍ２の表示方位Ｈを一致させるために、経由地案内地図Ｍ２の表示方位Ｈを回転するための「表示画像回転ボタン」や、経由地案内地図Ｍ２の表示方位Ｈを地図上方の方位が北にするための「ノースアップボタン」を表示部１３に表示する。さらに、目的地案内データ処理部３２ａは、経由地案内地図Ｍ２の表示方位Ｈを決定するための「表示方位・決定ボタン」を表示部１３に表示する。
【００４１】
ここで、目的地案内地図Ｍ１の方位は上方が北になっているため、「ノースアップボタン」を押して経由地案内地図Ｍ２の地図上方の方位を北にする操作信号を入力すると（ステップＳ２１においてＹＥＳ）、目的地案内データ処理部３２ａは、経由地画像データを演算処理して経由地案内地図Ｍ２をノースアップで画面上に表示する。そして、「表示方位・決定ボタン」を押して経由地案内地図Ｍ２の表示方位Ｈを決定する操作信号を入力すると、目的地案内データ処理部３２ａは、表示画像の回転操作に即した回転パラメータを演算処理して、その回転パラメータを目的地案内データ記憶部３２ｂに記憶する（ステップＳ２２）。これにより、経由地案内地図Ｍ２が表示部１３に表示される時、即ち、車両が表示切替領域Ａ内に進入する時、経由地案内地図Ｍ２は、目的地案内地図Ｍ１と同表示方位Ｈ（ノースアップ）で表示されるようになる。尚、「表示画像・回転ボタン」を押して経由地案内地図Ｍ２の表示画像を回転させる操作信号を入力すると（ステップＳ２１においてＮＯ）、目的地案内データ処理部３２ａは、その操作信号に基づいて経由地案内地図Ｍ２を回転表示させる。そして、その表示方位Ｈに相対する回転パラメータを演算処理して、その演算処理結果を目的地案内データ記憶部３２ｂに記憶する（ステップＳ２２ａ）。
【００４２】
回転パラメータを記憶させると、目的地案内データ処理部３２ａは、図７に示すように、経由地案内地図Ｍ２の表示スケールＤを変更するための「表示スケール」、「広域・詳細」と、経由地案内地図Ｍ２の表示スケールＤを決定するための「表示スケール・決定ボタン」を表示部１３に表示する。
【００４３】
ここで、「詳細」を押して経由地案内地図Ｍ２の表示スケールＤを縮小する操作信号を入力すると（ステップＳ２３においてＹＥＳ）、目的地案内データ処理部３２ａは、経由地画像データを演算処理して、その経由地案内地図Ｍ２を画面上で拡大表示する。そして、経由地案内地図Ｍ２の表示スケールＤを目的地案内地図Ｍ１の表示スケールＤに相対させて「表示スケール・決定ボタン」を押すと、目的地案内データ処理部３２ａは、尺度パラメータを演算処理して、その尺度パラメータを目的地案内データ記憶部３２ｂに記憶する（ステップＳ２４）。これにより、表示部１３に経由地案内地図Ｍ２が表示される時、即ち、車両が表示切替領域Ａ内に進入する時、経由地案内地図Ｍ２は、目的地案内地図Ｍ１と同表示スケールＤで表示されるようになる。尚、入力部１２を操作して表示スケールＤを変更しない選択を行うと（ステップＳ２３においてＮＯ）、目的地案内データ処理部３２ａは、初期設定としての所定の尺度パラメータ（例えば、経由地案内経路Ｒを表示案内するときの表示スケールＤに相対する尺度パラメータ）を目的地案内データ記憶部３２ｂに記憶させる。
【００４４】
尺度パラメータを記憶させると、目的地案内データ処理部３２ａは、画面上（経由地案内地図Ｍ２上）にある経由地Ｇ近傍に四角形状の表示切替領域Ａ（図７に示す破線）を表示する。さらに、目的地案内データ処理部３２ａは、図７に示すように、この表示切替領域Ａの範囲を変更するための「表示切替領域」「拡大・縮小」と、表示切替領域Ａを決定するための「表示切替領域・決定ボタン」を表示部１３に表示する。
【００４５】
ここで、「表示切替領域・拡大」を押して表示切替領域Ａの範囲を拡大する操作信号を入力すると（ステップＳ２５においてＹＥＳ）、目的地案内データ処理部３２ａは、表示切替領域Ａを拡大表示する。そして、目的地案内データ処理部３２ａは、拡大表示した表示切替領域Ａに相対する表示切替領域を目的地案内データ記憶部３２ｂに記憶する（ステップＳ２６）。これにより、拡大された表示切替領域Ａ内に現在地Ｓが進入すると、目的地案内データ処理部３２ａは、目的地案内地図Ｍ１と経由地案内地図Ｍ２の双方をそれぞれ表示部１３に対比して表示するようになる。
【００４６】
尚、入力部１２を操作して、表示切替領域Ａの範囲を変更しない選択を行うと（ステップＳ２５においてＮＯ）、目的地案内データ処理部３２ａは、経由地案内処理部３１に記憶される初期設定としての所定の表示切替領域（例えば、経由地Ｇを中心として２００Ｍ四方の座標）を目的地案内データ記憶部３２ｂに記憶する。
【００４７】
次に、上記目的地案内データに基づくカーナビゲーション装置１０の案内動作について図８〜１０に従って説明する。図８はカーナビゲーション装置１０の案内動作を説明するフローチャートである。図９〜図１０は、それぞれ案内動作における表示部１３の表示画面を説明する説明図である。
【００４８】
今、入力部１２を操作して、経由地案内経路Ｒを探索する探索信号を演算処理部１１（探索処理部３１ｂ）に入力する。すると、探索処理部３１ｂは、道路情報２２から経由地Ｇまでの経路を探索して、図９に示すように、経由地案内地図Ｍ２上に現在地Ｓ及び経由地案内経路Ｒを表示する。そして、入力部１２を操作して経路案内を開始する操作信号を入力すると、カーナビゲーション装置１０は目的地Ｔまでの経路案内を開始する。
【００４９】
即ち、経由地案内処理部３１（検索処理部３１ａ及び探索処理部３１ｂ）は、図９に示すように、経由地案内地図Ｍ２、現在地Ｓ、経由地Ｇ及び経由地案内経路Ｒを表示部１３の左側画面に表示して経由地案内経路Ｒに即した経路案内を開始する。この際、探索処理部３１ｂは、図９に示すように、次に案内すべき交差点までの進行距離やその交差点における進行方向等を詳細に案内する詳細案内地図Ｍ３を表示部１３の右側画面に表示する。これにより、カーナビゲーション装置１０は、経由地案内地図Ｍ２による広域の経路案内と、詳細案内地図Ｍ３による詳細経路案内とを同時に行うことができる。
【００５０】
そして、現在地Ｓの座標が表示切替領域Ａ内に進入すると（ステップＳ３２においてＹＥＳ）、目的地案内データ処理部３２ａは、目的地案内データ記憶部３２ｂから目的地画像データを読み取り、図１０に示すように、目的地案内地図Ｍ１を表示部１３の右側画面に表示する（ステップＳ３３）。目的地案内地図Ｍ１を表示すると、目的地案内データ処理部３２ａは、目的地案内データ記憶部３２ｂに記憶される回転パラメータを読み取る（ステップＳ３４）。回転パラメータを読み取ると、目的地案内データ処理部３２ａは、その回転パラメータに基づいて経由地画像データを演算処理し、目的地案内地図Ｍ１と相対する表示方位Ｈで経由地案内地図Ｍ２を表示する（ステップＳ３５）。回転パラメータを反映させた経由地案内地図Ｍ２を表示すると、目的地案内データ処理部３２ａは、目的地案内データ記憶部３２ｂに記憶される尺度パラメータを読み取る（ステップＳ３６）。尺度パラメータを読み取ると、目的地案内データ処理部３２ａは、その尺度パラメータに基づいて経由地画像データを演算処理し、目的地案内地図Ｍ１と相対する表示スケールＤで経由地案内地図Ｍ２を表示する（ステップＳ３７）。これにより、表示部１３には、図１０に示すように、目的地案内地図Ｍ１と相対する表示方位Ｈ及び表示スケールＤで経由地案内地図Ｍ２が表示される。その結果、経由地案内地図Ｍ２上の経由地Ｇと目的地案内地図Ｍ１上の経由地Ｇとの対比や、経由地案内地図Ｍ２上の現在地Ｓと目的地案内地図Ｍ１上の目的地Ｔとの対比が容易となり、目的地Ｔまでの進行距離や進行方向を把握すること
ができる。
【００５１】
そして、車両が目的地Ｔに到達して入力部１２のボタンを操作して案内を終了すると（ステップＳ３８においてＹＥＳ）、目的地案内データ処理部３２ａは、回転パラメータと尺度パラメータの双方を所定の初期設定に変更設定して経路案内を終了する（ステップＳ３９，Ｓ４０）。
【００５２】
上記第１実施形態のカーナビゲーション装置１０によれば、以下のような効果を得ることができる。
（１）上記実施形態では、目的地Ｔの周辺地図をデジタルカメラ等の目的地画像データ形成部１６にて撮影して、その周辺地図に即した目的地画像データを形成するようにした。そして、その目的地画像データに基づく目的地案内地図Ｍ１を目的地案内データ処理部３２ａによって表示部１３に表示するようにした。さらに、この目的地案内地図Ｍ１を表示する際、現在地Ｓを把握可能とする経由地案内地図Ｍ２を対比可能に表示するようにした。従って、目的地案内地図Ｍ１上にある経由地Ｇと経由地案内地図Ｍ２上にある経由地Ｇとの対比が容易になり、目的地案内地図Ｍ１上にある目的地Ｔと経由地案内地図Ｍ２上にある現在地Ｓとの対比を円滑に行うことができる。その結果、データベースに記録されていない目的地Ｔに対して、車両の進行距離や進行方向を把握することができ、表示部１３による表示案内を行うことができる。
【００５３】
（２）上記実施形態では、経由地案内地図Ｍ２の表示方位Ｈと表示スケールＤをそれぞれ回転パラメータと尺度パラメータによって設定するようにした。さらに、経由地案内地図Ｍ２と目的地案内地図Ｍ１の双方を画面上に対比表示させて、これら回転パラメータと尺度パラメータの双方を設定するようにした。従って、目的地案内地図Ｍ１と相対する経由地案内地図Ｍ２の表示方位Ｈや表示スケールＤを設定することができる。その結果、目的地案内地図Ｍ１を表示する時、その目的地案内地図Ｍ１と経由地案内地図Ｍ２との対比をより高い精度で容易に行うことができ、ひいては目的地Ｔまでの表示案内をより分かり易いものにできる。
【００５４】
（３）上記実施形態では、表示切替領域Ａを設定して、その表示切替領域Ａ内に現在地Ｓが位置する時、目的地案内地図Ｍ１と経由地案内地図Ｍ２の双方を表示するようにした。従って、現在地Ｓが表示切替領域Ａ外に位置する時には、経由地案内地図Ｍ２や詳細案内地図Ｍ３による経路案内を行うことができ、現在地Ｓが表示切替領域Ａ内に位置する時には、目的地案内地図Ｍ１と経由地案内地図Ｍ２との対比表示による表示案内を行うことができる。その結果、表示切替領域Ａを目的地近傍に設定させることによって、目的地近傍において、対比表示による表示案内を確実に行うことができる。
（第２実施形態）
以下、本発明のナビゲーション装置を車両に経路を案内するカーナビゲーション装置に具体化した第２実施形態を図１１〜１３に従って説明する。尚、この第２実施形態では、第１実施形態におけるカーナビゲーション装置１０の演算処理部１１及び目的地画像データ形成部１６を変更したものであり、以下ではその変更点について詳細に説明する。
【００５５】
図１１はカーナビゲーション装置１０の構成を示すブロック回路図である。図１１に示すように、カーナビゲーション装置１０に備えられる演算処理部１１には、画像情報取込手段としての目的地案内データ形成装置４０が接続されている。尚、演算処理部１１と目的地案内データ形成装置４０の接続４０ａは、例えば、ＵＳＢ等の有線に対応したインターフェースや電磁波等の無線に対応したインターフェース等であって、目的地案内データを送受信するインターフェースであればよく、本実施形態では特に限定しないものとする。
【００５６】
目的地案内データ形成装置４０は、パソコン等であって、電話回線や無線等によってネットワークとしてのインターネット（図示略）を介して、目的地画像データを記憶する外部装置としての複数のパソコン（図示略）に接続されている。
【００５７】
その目的地案内データ形成装置４０には、図１１に示すように、目的地案内データ形成装置本体４１が備えられている。目的地案内データ形成装置本体４１は、目的地案内データを形成するための各種演算処理を行うものであって、その各種演算処理結果を演算処理部１１に送信する。その目的地案内データ形成装置本体４１には、入力部４２及び表示部４３がそれぞれ接続されている。
【００５８】
入力部４２は、キーボードやマウス等の入力手段であって、目的地案内データを形成するための各種操作信号を目的地案内データ形成装置本体４１に入力する。表示部４３は、画像を表示するＬＣＤ等であって、目的地案内データ形成装置本体４１の各種演算処理結果を出力表示する。また、表示部４３は、入力部４２のマウス等でカーソルを移動し選択した画面上の位置を検知して、その位置に即した目的地案内データを形成するための各種操作信号を目的地案内データ形成装置本体４１に入力する。
【００５９】
目的地案内データ形成装置本体４１には、目的地案内地図取込部４１ａ、目的地案内データ形成部４１ｂ及び目的地案内データ送信部４１ｃが備えられている。
目的地案内地図取込部４１ａは、インターネットを介して、外部のパソコンからＵＲＬに基づいて登録されるＷｅｂページ等の地図画像の画像データ（目的地画像データ）を取り込む通信手段である。そして、目的地画像データを取り込むと、目的地案内地図取込部４１ａは、その目的地画像データに基づく画像を表示部４３に表示し、その目的地画像データをＵＲＬ若しくは画像ファイルとして目的地案内データ形成部４１ｂに記憶する。
【００６０】
目的地案内データ形成部４１ｂは、第１実施形態に示す地図情報２１と道路情報２２とを備えるものであって、これら地図情報２１及び道路情報２２を利用して、経由地Ｇの検索やその経由地Ｇに即した経由地画像データを作成する。また、目的地案内データ形成部４１ｂは、目的地画像データに基づく目的地案内地図Ｍ１を表示部４３に表示して、経由地画像データの回転パラメータや尺度パラメータの設定、さらに表示切替領域Ａの設定をする。即ち、目的地案内データ形成部４１ｂは、入力部４２及び表示部４３を介して、第１実施形態に示す案内地データの形成動作と、経由地案内地図の各種表示パラメータの設定動作とを行い、目的地案内データ（目的地画像データ、経由地画像データ、回転パラメータ、尺度パラメータ及び表示切替領域）を作成し記憶する。
【００６１】
目的地案内データ送信部４１ｃは、目的地案内データ形成部４１ｂの記憶する各種目的地案内データを演算処理部１１に送信する送信手段である。演算処理部１１には、この目的地案内データ送信部４１ｃから送信される目的地案内データを受信する目的地案内データ受信部３２ｃが設けられている。目的地案内データ受信部３２ｃは、目的地案内データ送信部４１ｃから目的地案内データを受信して、その目的地案内データを目的地案内データ記憶部３２ｂに記憶する。
【００６２】
次に、上記するカーナビゲーション装置１０の目的地案内データの形成動作について図１２及び図１３に従って説明する。図１２は、目的地案内データの形成動作を説明するフローチャートである。図１３は、目的地案内データの形成動作における表示部１３の表示画面を説明する説明図である。
【００６３】
今、経由地Ｇの住所等を目的地案内データ形成装置４０の入力部４２から目的地案内データ形成装置本体４１に入力する。すると、目的地案内データ形成部４１ｂは、経由地Ｇを検索して、経由地Ｇに即した経由地画像データを作成する。経由地画像データを形成す
ると、目的地案内データ形成部４１ｂは、図４に示すように、経由地Ｇ及び経由地案内地図Ｍ２を目的地案内データ形成装置４０の表示部４３に表示する。表示部４３が経由地案内地図Ｍ２等を表示すると、目的地案内データ形成部４１ｂは、その経由地画像データを記憶する。経由画像データを記憶すると、目的地案内データ形成部４１ｂは、経由地Ｇの設定完了案内として「経由地の設定が完了しました」等のメッセージを表示部４３に表示する。
【００６４】
こうして経由地Ｇが設定されると、目的地案内データ形成部４１ｂは、図１３に示すように、目的地画像データの所在をＵＲＬで選択するための目的地案内地図・ＵＲＬの選択ボタンＵや、目的地画像データの所在をファイル名で選択するための目的地案内地図・ファイルの選択ボタンＦを表示部４３に表示する。
【００６５】
ここで、入力部４２を用いて目的地案内地図を入力するための操作をした後（ステップＳ４０ａにおいてＹＥＳ）マウス等によって目的地案内地図・ＵＲＬの選択ボタンＵを選択して、目的地画像データの所在をＵＲＬで選択する操作信号を目的地案内データ形成部４１ｂに入力する（ステップＳ４１においてＹＥＳ）。すると、目的地案内データ形成部４１ｂは、記憶するＵＲＬをリストにして表示部４３に表示する。そして、マウス等を操作して目的とする目的地画像データの登録されるＵＲＬを選択すると、目的地案内地図取込部４１ａは、インターネットを介して、同ＵＲＬに基づいて登録される目的地画像データを取り込み、その目的地画像データに基づく目的地案内地図Ｍ１を表示部４３に表示する。
【００６６】
目的地案内地図Ｍ１を表示部４３に表示すると、目的地案内データ形成部４１ｂは、図１３に示すように、目的地画像データを記憶するための「目的地案内地図・決定ボタン」を表示部４３に表示する。そして、マウス等によって「目的地案内地図・決定ボタン」を選択し、目的地画像データを記憶する操作信号を入力すると、目的地案内データ形成部４１ｂは、目的地案内地図取込部４１ａが取り込む目的地画像データ（ＵＲＬに基づいて登録される画像データ）を目的地案内データとして記憶する。
【００６７】
因みに、マウス等によって目的地案内地図・ファイルの選択ボタンＦを選択し、目的地画像データの所在をファイル名で選択する操作信号を入力すると（ステップＳ４１においてＮＯ）、目的地案内データ形成部４１ｂは、記憶するファイル名をリストにして表示部４３に表示する。そして、マウス等を操作して目的地画像データの記憶されるファイル名を選択すると、目的地案内データ形成部４１ｂは、その目的地画像データに基づく目的地案内地図Ｍ１を表示部４３に表示する。そして、マウス等によって「目的地案内地図・決定ボタン」を選択し、目的地画像データを記憶する操作信号を入力すると、目的地案内データ形成部４１ｂは、ファイルとして記憶される目的地画像データを目的地案内データとして記憶する。
【００６８】
こうして目的地画像データを記憶すると、目的地案内データ形成部４１ｂは、記憶した経由地画像データと目的地画像データの双方に基づいて、図６に示すように、経由地案内地図Ｍ２と目的地案内地図Ｍ１とをそれぞれ表示部４３の左右両画面に表示する（ステップＳ４３）。経由地案内地図Ｍ２と目的地案内地図Ｍ１とを表示すると、目的地案内データ形成部４１ｂは、経由地案内地図Ｍ２の各種表示パラメータ（回転パラメータ、尺度パラメータ及び表示切替領域Ａ）を設定する（ステップＳ４４）。
【００６９】
そして、各種表示パラメータ等を設定すると、目的地案内データ形成部４１ｂは、目的地案内データ送信部４１ｃに記憶する目的地案内データを目的地案内データ受信部３２ｃに送信する。各種目的地案内データが目的地案内データ受信部３２ｃに送信されると、目的地案内データ受信部３２ｃは、受信した目的地案内データを目的地案内データ記憶部３
２ｂに記憶して目的地案内データの形成動作を終了する。
【００７０】
（１）上記実施形態では、目的地案内データを作成するパソコン等の目的地案内データ形成装置４０を演算処理部１１に接続した。そして、目的地案内データ形成部４１ｂが外部から取得した目的地の画像に基づいて作成する目的地案内データを演算処理部１１に送信する目的地案内データ送信部４１ｃと、その目的地案内データを受信する目的地案内データ受信部３２ｃとを設けた。従って、例えば、目的地案内データ形成装置４０を屋内に配設することによって、目的地案内データを形成する都度、車両内に行く手間を省くことができ、ひいては目的地案内データを形成する利便性を向上することができる。
【００７１】
（２）上記実施形態では、目的地案内データ形成装置４０にインターネットを介して目的地画像データを取り込む目的地案内地図取込部４１ａを設けた。従って、目的地案内データを構成する目的地画像データをＵＲＬで設定することができ、例えば、インターネットを介してその所在を公開している目的地に対し、ＵＲＬに基づいて登録される目的地案内地図を確実に表示することができる。その結果、目的地までの経路の把握をより容易にすることができ、その目的地案内データを形成する利便性を向上することができる。
【００７２】
なお、上記実施形態は以下のように変更してもよい。
・上記実施形態では、情報記憶部１４が記憶媒体に記憶される各種記憶情報を読取るものとして具体化した。これを変更し、例えば、地図情報２１や道路情報２２等の各種情報を送信する情報センタと、この情報センタの送信する各種情報を受信して演算処理部１１に入力する受信部とを設ける構成にしてもよく、演算処理部１１が各種演算処理を行うために必要とする各種情報を取り込むことができる構成であればよい。
【００７３】
・上記実施形態では、目的地画像データ形成部１６及び目的地案内データ形成装置４０を、それぞれ別々に具備する第１及び第２実施形態を記載したが、例えば、撮影機構を備えるパソコンや携帯電話、目的地画像データ形成部１６を備える目的地案内データ形成装置４０であるものとして具体化してもよい。
【００７４】
・上記実施形態では、経路案内を開始する前に回転パラメータや尺度パラメータ等の目的地案内データを記憶設定する構成にしたが、経路案内の際にもこの目的地案内データの設定を変更できる構成にしてもよい。
【００７５】
・上記実施形態では、タッチパネル式の表示部１３やマウス等によるカーソルの移動選択によって各種操作信号を入力するようにしたが、入力部１２，４２によって全ての操作信号を入力する構成にしてもよく、演算処理部１１、或いは目的地案内データ形成装置本体４１に各種操作信号を入力できる入力方式であれば何でもよい。
【００７６】
・上記第２実施形態では、目的地案内データ形成部４１ｂが、目的地画像データの登録されるＵＲＬを予め記憶するものとしたが、これに限らず、入力部４２からＵＲＬを入力しインターネット上にて目的とする目的地案内地図を検索して、目的地画像データを取り込むようにしてもよい。
【００７７】
・上記第２実施形態では、目的地案内データ形成装置４０が、取り込んだ目的地画像データに基づき経由地案内地図Ｍ２の各種表示パラメータを設定して、目的地案内データを演算処理部１１に送信する構成にした。これを変更し、目的地案内データ形成装置本体４１は、取り込んだ目的地画像データを演算処理部１１に送信して、演算処理部１１の目的地案内データ処理部３２ａが各種表示パラメータを含む目的地案内データを形成する構成にしてもよい。
【００７８】
・上記第２実施形態では、ネットワークをインターネットとして具体化したカーナビゲーション装置を記載したが、これに限らず、地図画像のデータを授受できるネットワークであればよい。尚、この際、ＵＲＬは、地図画像のデータの場所を示す同ネットワークに即した記述方式等に変更する。
【００７９】
・上記第２実施形態では、目的地案内データ形成部４１ｂが、目的地案内データ送信部４１ｃに記憶する目的地案内データを目的地案内データ受信部３２ｃに送信すると、目的地案内データ受信部３２ｃは、受信した目的地案内データを目的地案内データ記憶部３２ｂに記憶する構成にした。これを変更し、目的地案内データ形成装置４０から外部記憶媒体、例えばメモリーカード等を介して目的地案内データを目的地案内データ記憶部３２ｂに記憶する構成にしてもよい。
【図面の簡単な説明】
【００８０】
【図１】第１実施形態のカーナビゲーション装置のブロック図。
【図２】同じく、目的地案内データの形成動作を説明するフローチャート。
【図３】同じく、経由地案内地図の各種表示パラメータの設定動作を説明するフローチャート。
【図４】同じく、目的地案内データの形成動作における表示画面を説明する説明図。
【図５】同じく、目的地案内データの形成動作における表示画面を説明する説明図。
【図６】同じく、目的地案内データの形成動作における表示画面を説明する説明図。
【図７】同じく、目的地案内データの形成動作における表示画面を説明する説明図。
【図８】同じく、経路案内動作を説明するフローチャート。
【図９】同じく、経路案内動作における表示画面を説明する説明図。
【図１０】同じく、経路案内動作における表示画面を説明する説明図。
【図１１】第２実施形態のカーナビゲーション装置のブロック図。
【図１２】同じく、目的地案内データの形成動作を説明するフローチャート。
【図１３】同じく、目的地案内データの形成動作における表示画面を説明する説明図。
【符号の説明】
【００８１】
１０…ナビゲーション装置としてのカーナビゲーション装置、１１…演算処理部、１２…入力部、１３…表示部、１４…情報記憶部、１５…現在地検出手段を構成する位置検出部、１６…撮影手段としての目的地画像データ形成部、２１…地図情報、２２…道路情報、２４…ＧＰＳ受信部、２５…車速センサ、２６…方位センサ、３１…経路探索手段を構成する経由地案内処理部、３２…案内地図表示手段を構成する目的地案内処理部、３１ａ…検索処理部、３１ｂ…探索処理部、３２ａ…地図画像データ取得手段を構成する目的地案内データ処理部、３２ｂ…目的地案内データ記憶部、３２ｃ…目的地案内データ受信部、４０…画像情報取込手段としての目的地案内データ形成装置、４１…目的地案内データ形成装置本体、４２…入力部、４３…表示部、４１ａ…画像情報取込部としての目的地案内地図取込部、４１ｂ…目的地案内データ形成部、４１ｃ…目的地案内データ送信部、Ａ…表示切替領域、Ｍ１…目的地案内地図、Ｍ２…経由地案内地図、Ｒ…経由地案内経路。
【図１】
2005308589.tif 000003
【図２】
2005308589.tif 000004
【図３】
2005308589.tif 000005
【図４】
2005308589.tif 000006
【図５】
2005308589.tif 000007
【図６】
2005308589.tif 000008
【図７】
2005308589.tif 000009
【図８】
2005308589.tif 000010
【図９】
2005308589.tif 000011
【図１０】
2005308589.tif 000012
【図１１】
2005308589.tif 000013
【図１２】
2005308589.tif 000014
【図１３】
2005308589.tif 000015